(57)【要約】【課題】正確な画像読み取り処理を確保した上で画像形成装置を容易に持ち運べる画像形成装置のフレーム構造を提供する。【解決手段】筐体フレーム５１、５２上の画像読取部５の位置決め形状部以外の箇所に、少なくとも１つ以上の任意の形状の切欠き５１ｂ、５２ｂを第２の切欠き形状部として予め設ける。設ける部位は、筐体フレーム５１、５２の上面部と側面部との間の角部で、小孔形状とする。装置の持ち上げ作業時に切欠き形状部５１ａ、５２ａの近傍に発生する応力集中を他の切欠き５１ｂ、５２ｂにも分散して発生させる。筐体フレーム５１、５２としては弾性変形の限度内に収まるよう応力を低減する構造にできる。すなわち、画像読取部５の位置決め形状部を設置する筐体フレーム５１、５２に取っ手６０を設ける場合、装置の持ち運び作業時に位置決め形状部のみに応力集中が発生しない構造となる。【選択図】図７
2016051089.tif 000002
【特許請求の範囲】
【請求項１】
内部に画像形成処理を行う画像形成部が設けられる下部フレームと、
該下部フレームの頂部に積み重ねられて支持され、原稿画像を光学的に読み取るための画像読取部を載置する上部フレームとを有する画像形成装置本体を備え、
前記上部フレームに、前記画像形成装置本体を持ち上げて運ぶための少なくとも一対の取っ手と、前記画像形成装置本体を水平に精度良く載置するための位置決め形状部を有し、
該位置決め形状部は、前記上部フレームの連続的な曲げ形状を部分的に切断し、前記取っ手を持ち上げて前記画像形成装置本体を運ぶ際に前記上部フレームが変形して前記位置決め形状部及びその近傍部位に部分的に応力集中が発生して強度が低下する第１の切欠き形状部をなしており、
前記上部フレームには、さらに、前記切欠き形状部に発生する応力集中を緩和するための第２の切欠き形状部が、前記位置決め形状部以外の部分に一つまたは複数個、任意の位置と形状で形成されている、
ことを特徴とする画像形成装置のフレーム構造。
【請求項２】
前記第１の切欠き形状部が、前記上部フレームの上面部を切り起こして形成したものである、
ことを特徴とする請求項１に記載の画像形成装置のフレーム構造。
【請求項３】
前記第２の切欠き形状部が、前記上部フレームの上面部と側面部との間の角部に設けた小孔である、
ことを特徴とする請求項２に記載の画像形成装置のフレーム構造。
【請求項４】
前記第１の切欠き形状部を前記上部フレームに対で設け、これら対をなす第１の切欠き形状部の間に、前記第２の切欠き形状部を等間隔に設けた、
ことを特徴とする請求項２又は３に記載の画像形成装置のフレーム構造。
【請求項５】
前記上部フレームの上に画像読取部を搭載して連結固定しており、前記取っ手の位置を前記上部フレームの長手方向で中央に設定し、
前記位置決め形状部は、前記上部フレームが変形する際の支点の近傍とした、
ことを特徴とする請求項３又は４に記載の画像形成装置のフレーム構造。
【請求項６】
請求項１乃至５のいずれかに記載の画像形成装置のフレーム構造を有することを特徴とする画像形成装置。
【発明の詳細な説明】
【技術分野】
【０００１】
本発明は、画像形成装置のフレーム構造、該構造を有する画像形成装置に関する。
【背景技術】
【０００２】
近年、画像形成装置のコンパクト化が進み、一人で抱えて持ち運ぶことができるようなサイズのものも出現している。このような小型の画像形成装置がフロア上に直置きされているような場合、取っ手の位置が可能な限り上方に位置している方が、腰を屈めなくてもよい分楽に運ぶことができ好ましい。
【０００３】
ところで、この種の画像形成装置の原稿処理部には、光源から照射した光で原稿面を走査し、その反射光を複数のミラーを介してＣＣＤ（Ｃｈａｒｇｅ  Ｃｏｕｐｌｅｄ  Ｄｅｖｉｃｅ：撮像素子）へ入力するように構成された、光学的に原稿画像を読み取る画像読取装置が採用されている。すなわち、非常に繊細な精密機器である。そのため、原稿処理部のフレームに設けられた取っ手を介して画像形成装置を持ち運びする際に、フレームに僅かでも変形が生じると、この変形に起因して画像読取装置の構成機器が僅かに変位し、これによって反射光の光路に狂いが生じる。そのことから、正確な画像読取処理を行い得なくなるという不都合が生じる。
【０００４】
特許文献１には、正確な画像読み取り処理を確保した上で装置本体を容易に持ち運ぶことができる画像形成装置が開示されている。その装置本体は、内部に画像形成処理を行う画像形成部が設けられる下部フレームと、この下部フレームの頂部に装着される中間フレームと、この中間フレームに支持され、画像読み取り用の原稿読取部が設けられる上部フレームとを有する。中間フレームは、上部フレームを均等に支持し得るように構造が設定され、中間フレームには、その対向側面に装置本体を持ち上げて運ぶための一対の取っ手が設けられている。すなわち、この取っ手を把持して画像形成装置を運ぶことが行われる。
【０００５】
そして、上述の構成により中間フレームに備えた取っ手を把持しても、画像読取装置を支持する上部フレームの変形は軽微であり、また取っ手の位置が可能な限り上方に位置しているので、腰を屈めなくてもよく、楽に運ぶことができるのである。
【発明の概要】
【発明が解決しようとする課題】
【０００６】
特許文献１の画像形成装置は、取っ手が本体フレーム全体の上側に設けられているため、それより下位に取っ手が向けられている場合に比較し運び易いが、装置本体のサイズによっては上部フレームに取っ手が設けられる方が好ましい場合もある。すなわち、中間フレームのさらに上方にある上部フレームに取っ手を設ける方が持ち運びやすい。ただし、上部フレームに取っ手を設けた場合には、取っ手を持ち上げた際に上部フレームが変形して、正確な画像読取処理が実施できない可能性がある。
【０００７】
そこで本発明は、正確な画像読み取り処理を確保した上で装置本体を容易に持ち運びすることができるようにすることを目的としている。
【課題を解決するための手段】
【０００８】
本発明に係る画像形成装置のフレーム構造は、内部に画像形成処理を行う画像形成部が設けられる下部フレームと、該下部フレームの頂部に積み重ねられて支持され、原稿画像を光学的に読み取るための画像読取部を載置する上部フレームとを有する画像形成装置本体を備え、前記上部フレームに、前記画像形成装置本体を持ち上げて運ぶための少なくとも一対の取っ手と、前記画像形成装置本体を水平に精度良く載置するための位置決め形状部を有し、該位置決め形状部は、前記上部フレームの連続的な曲げ形状を部分的に切断し、前記取っ手を持ち上げて前記画像形成装置本体を運ぶ際に前記上部フレームが変形して前記位置決め形状部及びその近傍部位に部分的に応力集中が発生して強度が低下する第１の切欠き形状部をなしており、前記上部フレームには、さらに、前記切欠き形状部に発生する応力集中を緩和するための第２の切欠き形状部が、前記位置決め形状部以外の部分に一つまたは複数個、任意の位置と形状で形成されていることを特徴とする。
【発明の効果】
【０００９】
本発明によれば、正確な画像読み取り処理を確保した上で画像形成装置を容易に持ち運びすることができる。
【図面の簡単な説明】
【００１０】
【図１】本発明の実施対象となる画像形成装置の構成図である。
【図２】図１で示した本発明の一実施例を示す画像形成装置の斜視図である。
【図３】図２で示す画像形成装置の筐体フレームの構成例を示す斜視図である。
【図４】取っ手の取り付け高さ位置の課題を説明する図である。
【図５】筐体フレームの取っ手持ち上げ時にかかる力の位置を説明する図である。
【図６】本発明を適用していない場合の課題を説明する図である。
【図７】本発明の実施形態１の特徴を説明する図である。
【図８】本発明の第２の実施形態を説明するための図である。
【図９】本発明の第２の実施形態を説明する図である。
【図１０】本発明の第２の実施形態を説明するための要部の側面図である。
【図１１】本発明の第２の実施形態を説明するための要部の側面図である。
【発明を実施するための形態】
【００１１】
本発明は、画像形成装置の持ち運びについて本体フレームと取っ手の構造に際して、以下の特徴を有する。
要するに、画像読取装置を搭載する上部フレームに設けている位置決め形状について、上部フレームに取っ手機能を設けている。そして、持ち運ぶ際、位置決め形状に応力集中しないよう、上部フレームの他の箇所に複数の切欠き形状をつけて応力を分散する構造にすることが特徴になっている。
すなわち、取っ手を画像読取装置を載置する上部フレームに設けることによって、画像形成装置が小型でフロア上に直置きされているような場合でも、ほとんど腰を屈めることなく当該取っ手を介して画像形成装置をより容易に持ち運びすることができる。そのため、正確な画像読み取り処理を確保した上で装置本体を容易に持ち運びすることができる画像形成装置を提供することができる。また上部フレームには画像読取装置の位置決め形状があるが、上部フレーム持ち上げ時には、取っ手および上部フレームを介して位置決め形状にも応力が加わり、位置決め形状の一部形状に応力集中が発生して塑性変形の恐れがある。しかし、本発明に係る画像形成装置では、上部フレーム上には位置決め形状以外の箇所に応力集中を分散、緩和するための切欠き形状が設けられる。そのため、取っ手を介して上部フレームを持ち上げても、上部フレームは弾性限度内の変形のみで、画像読取装置の位置決め形状は塑性変形に至らない。そのため、画像形成装置を載置して取っ手から手を離すと、位置決め形状は持ち上げ前の初期状態に戻り、画像読取装置は所定の設置状態を保った状態で使用することができる。
【００１２】
この本発明の特徴について、以下に図面を参照して詳細に説明する。
図１は本発明の実施対象となる電子写真式の画像形成装置の概略の内部構成図であり、図２は画像形成装置の外観の一例を示す斜視図である。なお図示の例は、カラー複写機を示しているが、ＬＡＮケーブルや電話回線で接続することにより、プリンタ、スキャナ、ファクシミリとしても用いることができる。また白黒（モノクロ）複写機も同様の内容である。
【００１３】
画像形成装置である複写機１は、その骨組みを構成する後述する本体構造体４０のまわりを外装カバーで被ってある。中段部には、画像を形成して記録材に転写する画像形成部２を備える。その下に、記録材を収納して順次画像形成部２に向けて送出する記録材収納部３、その上に、記録済みの記録材を排出する胴内排紙部４、原稿画像を読み取る画像読取部５を備える。また、画像読取部５の矢印Ａで示す正面側には操作部６を備える。また、記録済みの記録材の裏面にも記録を行うときに反転して画像形成部２に再給紙する両面装置などを備えるものもある。図中７は、画像読取部５の上に配置する圧板３３である。圧板兼用の自動原稿給送装置（ＡＤＦ）を備える場合もある。
【００１４】
操作部６は、複写機１の複数の機能を操作するための入力手段と、各種入力情報や装置の状態を表示する表示手段とを有する。入力手段とは、例えばスタートキー、テンキー、機能設定キー、リセットキー、クリア／ストップキーなどの各種キーであり、表示手段とは、例えば液晶表示パネル、入力手段を兼ねた液晶タッチパネルなどである。図中符号８は手差し用の給紙テーブルであり、複写機１に開閉可能に設けられている。
【００１５】
画像形成部２内には、イエロー（Ｙ）、シアン（Ｃ）、マゼンタ（Ｍ）、ブラック（Ｂ）の各色の画像を形成するための４つの作像ステーションが、無端ベルト状の中間転写ベルト１７ａを有する中間転写ユニット１７に沿ってタンデム型に並べて配置されている。４つの作像ステーションの下には光書込装置１３が設置されている。なお以下の説明はカラー４色方式で説明するが、任意の１色方式または白黒（モノクロ）方式の場合も同様に適用される。
【００１６】
各作像ステーションの構成は同じである。像担持体としての感光体ドラム１１Ｙ，１１Ｃ，１１Ｍ，１１Ｂをそれぞれ有する。そのまわりに、それぞれ専用の帯電装置１２Ｙ，１２Ｃ，１２Ｍ，１２Ｂ、現像装置１４Ｙ，１４Ｃ，１４Ｍ，１４Ｂ、一次転写ローラ１５Ｙ，１５Ｃ，１５Ｍ，１５Ｂ、クリーニング装置１６Ｙ，１６Ｃ，１６Ｍ，１６Ｂが配置されている。
【００１７】
光書込装置１３は、４つの作像ステーションに対して配置されている。そして、中央に１つの偏向器を有し、４つの光源からの光束を一つの偏向器で４系統に振り分けて偏向走査し、４つの感光体ドラム１１Ｙ，１１Ｃ，１１Ｍ，１１Ｂにそれぞれ潜像を書込む。そのための光学系は、各色毎に用意されたレーザダイオード（ＬＤ）を使用する４つの光源を用いる。そして、光源から出射されたレーザ光束をコリメートする光学系を有する。また、ポリゴンミラー（回転多面鏡）とポリゴンモータから構成される１つの偏向器（ポリゴンスキャナ）と、各光源の光路に配置されたｆθレンズ等の走査、結像用のレンズや補正用レンズ、ミラー等からなる光学系とを有する。そして、各色の画像情報に応じてレーザダイオードから射出されたレーザ光は、ポリゴンスキャナにより偏向走査され、各色の感光体ドラム１１Ｙ，１１Ｃ，１１Ｍ，１１Ｂに照射される。
【００１８】
また、画像形成部２内には、胴内排紙部４の下に、各作像ステーションの現像装置１４Ｙ，１４Ｃ，１４Ｍ，１４Ｂにトナーを補給するためのトナーボトル３２Ｙ，３２Ｃ，３２Ｍ，３２Ｂが設けられている。各トナーボトル３２Ｙ，３２Ｃ，３２Ｍ，３２Ｂには、図中左からイエロー（Ｙ）、シアン（Ｃ）、マゼンタ（Ｍ）、ブラック（Ｂ）のトナーが充填されている。そして、ここから図示しない搬送経路によって、所定の補給量だけ各色の現像装置１４Ｙ，１４Ｃ，１４Ｍ，１４Ｂに各色のトナーが補給される。
【００１９】
中間転写ユニット１７の中間転写ベルト１７ａは、駆動ローラや従動ローラなどにより支持されており、図中の矢印の向きに回動される。この中間転写ベルト１７ａの右側には、二次転写ローラ２２が設けられている。また、中間転写ベルト１７ａの左側には、中間転写ベルトクリーニング装置１８が設けられている。
【００２０】
一方、複写機１の下に設ける記録材収納部３には、記録材としての記録用紙Ｓが収納された２段の給紙カセット３ａ，３ｂが設置されており、いずれか一方の給紙カセットから給紙装置１９ａ，１９ｂにより記録用紙Ｓが給紙され、記録材給送装置で給送される。すなわち、記録用紙Ｓは、搬送ローラ２０ａ，２０ｂを介してレジストローラ２１に向けて給紙され、レジストローラ２１により所定のタイミングで、二次転写ローラ２２と中間転写ベルト１７ａの間の２次転写ニップ部に向けて送り出される。
【００２１】
二次転写ローラ２２の上方には、定着ユニット３５が設置されている。この定着ユニット３５内には、例えば定着ローラ３６と加熱ローラ３７に支持された定着部材としての定着ベルト３８と、該定着ベルト３８に圧接する加圧部材としての加圧ローラ３９とで定着ニップが形成されている。
【００２２】
定着ユニット３５の上方には、記録用紙Ｓを搬送し、胴内排紙部４に向けて排紙する搬送ローラ２３や排紙ローラ２４が設けられている。さらにその上には、両面プリント時に搬送路を切換える切換え爪２５や、スイッチバック式に記録用紙Ｓの搬送向きを反転するための反転搬送ローラ２６や、反転搬送路２７が設けられている。そして、反転搬送路２７に一時的にスタックされた記録用紙Ｓは、反転搬送ローラ２６で搬送向きを反転されて、両面用搬送路を通して搬送ローラ２８，２９により搬送され、レジストローラ２１に再給紙される。
【００２３】
複写機１の上部に配置される画像読取部５には、原稿が載置される原稿台としてのコンタクトガラス５ａをそなえる。また、原稿を照明する照明用の光源５ｂと、原稿からの反射光を反射する第１ミラー５ｃ、第２ミラー５ｄ、第３ミラー５ｅとを備える。さらに、原稿からの反射光を結像する結像レンズ５ｆと、その結像位置に配置されて原稿画像を読み取る読取手段としてのＣＣＤ等のイメージセンサ５ｇとを備える。
【００２４】
この画像読取部５の上には、コンタクトガラス５ａに載置された原稿を押さえる圧板３３、または圧板３３に代えて、コンタクトガラス５ａに原稿を自動給紙する自動原稿給紙装置（ＡＤＦ）が設けられる。
【００２５】
次に、この画像形成装置を用いてコピーを取る場合について説明する。
コピーを取るときは、まず圧板３３を開いて画像読取部５のコンタクトガラス５ａ上に原稿がセットされ、または圧板３３に代えてＡＤＦを設けるときは、ＡＤＦの原稿台上に原稿がセットされる。
【００２６】
次いで、操作部６のスタートスイッチを押すと、コンタクトガラス５ａ上に原稿をセットしたときは、直ちに画像読取部５を駆動する。またＡＤＦの原稿台上に原稿をセットしたときは、原稿を搬送してコンタクトガラス５ａ上へと移動した後に画像読取部５が駆動される。そして、光源５ｂと第１ミラー５ｃを搭載する第１走行体、および第２ミラー５ｄと第３ミラー５ｅを搭載する第２走行体が各々走行する。そして、光源５ｂから発した光を原稿面に当て、原稿面からの反射光を第１走行体の第１ミラー５ｃで反射して第２走行体に向ける。それを、第２走行体の第２、第３のミラー５ｄ，５ｅで反射して結像レンズ５ｆを通して読取手段であるＣＣＤ等のイメージセンサ５ｇに入れ、イメージセンサ５ｇで原稿内容が読み取られる。その後、操作部６でのモード設定、または操作部６で自動モード選択が設定されている場合には、原稿の読み取り結果にしたがい、フルカラーモードまたは白黒モードで画像形成動作が開始される。
【００２７】
画像形成部２では、まず、帯電装置１２Ｙ，１２Ｃ，１２Ｍ，１２Ｂによって各感光体ドラム１１Ｙ，１１Ｃ，１１Ｍ，１１Ｂが一様に帯電される。その後、各感光体ドラム１１Ｙ，１１Ｃ，１１Ｍ，１１Ｂは、それぞれ４つのレーザ光源と共通の偏向器と４系統の走査光学系を有する光書込装置１３によりレーザ光にて露光走査され、感光体ドラム１１Ｙ，１１Ｃ，１１Ｍ，１１Ｂ上に静電潜像が作られる。
【００２８】
各静電潜像は、４色の現像装置１４Ｙ，１４Ｃ，１４Ｍ，１４Ｂによりそれぞれ異なる色のトナーが付着されることにより現像される。個々の感光体ドラム１１Ｙ，１１Ｃ，１１Ｍ，１１Ｂの表面にそれぞれイエロー、シアン、マゼンタ、ブラックのトナー像が形成される。
【００２９】
次に、一次転写ローラ１５Ｙ，１５Ｃ，１５Ｍ，１５Ｂに一次転写電圧が印加され、感光体ドラム１１Ｙ，１１Ｃ，１１Ｍ，１１Ｂ上のトナーが、中間転写ベルト１７ａ上に順次転写されていく。このとき、各色の作像動作は、そのトナー像が中間転写ベルト１７ａの同じ位置に重ねて転写されるように、上流側から下流側に向けてタイミングをずらして実行される。
【００３０】
一方、上述の一次転写動作にタイミングを合わせて、記録材収納部３に備えるいずれかの給紙カセット３ａ，３ｂから、記録材としての記録用紙Ｓが給紙装置１９ａ，１９ｂで給紙される。または手差し用テーブル８に手差しの記録用紙Ｓがセットされた場合には、その手差しの記録用紙Ｓが手差し用テーブル８から給紙ローラ３０により給紙される。記録用紙Ｓは、いずれも搬送ローラ３１で複写機１内に送り込まれる。そして、記録用紙Ｓの先端がレジストローラ２１まで到達したところで、図示しないセンサによって検知される。その検出信号に基づきタイミングを取られ、レジストローラ２１によって記録用紙Ｓが、二次転写ローラ２２と中間転写ベルト１７ａの間の２次転写ニップ部に向けて送り出される。
【００３１】
２次転写ニップ部に向けて送り出された記録用紙Ｓには、前述したごとく中間転写ベルト１７ａ上に形成された画像が、２次転写ニップ部まで搬送されて、一括して二次転写される。画像が転写された記録用紙Ｓは、定着ユニット３５に搬送されて定着ニップを通すことにより熱と圧力とが加えられてその上の画像が定着され、搬送ローラ２３で搬送されて排紙ローラ２４で胴内排紙部４に排紙される。これにより、記録用紙Ｓ上にカラー画像が形成される。
【００３２】
また、操作部６で両面モードが選択され、両面コピーを行うときには、切換え爪２５で搬送路を切換え、定着済みの記録用紙Ｓを反転搬送路２７に一時的にスタックする。その後、反転搬送ローラ２６でスイッチバック式に進行方向が反転され、両面用搬送路を搬送ローラ２８，２９により搬送され、画像形成動作にタイミングを合わせて、レジストローラ２１に再給紙される。そして、レジストローラ２１で再び２次転写ニップ部に給紙する。次に中間転写ベルト１７ａ上に形成された画像が記録用紙Ｓの裏面側にも転写される。裏面側にも画像が転写された記録用紙Ｓは、定着ユニット３５に搬送されて熱と圧力により画像が定着される。その後、搬送ローラ２３で胴内排紙部４に向けて搬送され、排紙ローラ２４で排紙される。これにより、記録用紙Ｓの両面にカラー画像が形成される。
【００３３】
なお、感光体ドラム１１Ｙ，１１Ｃ，１１Ｍ，１１Ｂ上の残留トナーは、それぞれのクリーニング装置１６Ｙ，１６Ｃ，１６Ｍ，１６Ｂでクリーニングされる。その後、直流に交流成分のバイアスが重畳印加された帯電装置１２Ｙ，１２Ｃ，１２Ｍ，１２Ｂによって除電と同時に帯電され、次の作像に備えられる。また、中間転写ベルト１７ａ上の残留トナーは、中間転写ベルトクリーニング装置１８によってクリーニングされ、次の作像工程に備えられている。
【００３４】
図３は、複写機１の骨組みを構成する本体構造体４０を示す。
この本体構造体４０は、鋼板製で、第１側板４１と、その周囲に設けた筐体フレーム５１、５２、５３、５４、５５、５６、５７、により、第１側板４１と第２側板４２との掛け渡しにする構成である。筐体フレーム５１、５２が上部フレーム、筐体フレーム５３、５４が下部フレームであり、筐体フレーム５５、５６は上部フレームと下部フレームを連結している。
【００３５】
第１側板は、定着ユニット等へ駆動力を伝達する駆動伝達側に設ける後側板である。第２側板４２は、その前側板とは反対側の、複写機１の操作者側に設ける前側板である。そして、そのような本体構造体４０内には、上述した感光体ドラム１１Ｙ〜１１Ｂ、帯電装置１２Ｙ〜１２Ｂ、光書込装置１３、現像装置１４Ｙ〜１４Ｂ、一次転写ローラ１５Ｙ〜１５Ｂ、クリーニング装置１６Ｙ〜１６Ｂ、二次転写ローラ２２、定着ユニット３５、中間転写ユニット１７、記録材給送装置などがある。これらは、個々にユニット化されたり、それらのいくつかをまとめてプロセスカートリッジ化されたりして、それぞれ着脱自在に支持されている。
【００３６】
以上で説明したような構成の複写機１においては、画像形成部２と画像読取部５との間に排紙部空間を設けるため、画像読取部５の外側に排紙部空間を設けなくて良く、画像読取部５の占有面積が省スペースにできるが、装置の高さが高くなる場合がある。特に、画像形成部２の下方に多段の記録材収納部３を設置した場合には、複写機１の全体高さが高くなってしまう。
【００３７】
このような状況において、図２に示すように、複写機１を持ち運ぶ目的で、例えば複写機１の側面に取っ手６０を設置する場合がある。図では一方の取っ手６０のみ示すが、図示しない対向する側面にも備えるようにすることが多い。そして、このような取っ手６０を用いると、持ち運び作業時に複写機１の重心が高いと作業者１００の作業が不安定になるので、例えば図４に示すように、おおよそ複写機１の全体高さの中間よりも幾分か高い位置に取っ手６０を設置するのが作業上は好ましい。また装置全体を小型化した場合についても、前述の持ち運び作業安定性の他にも、床置きした装置を持ち上げるのに、作業者１００が腰をかがめる必要があり作業し難いことから、ある程度の高さの位置以上には取っ手６０を設置したいという要望がある。
【００３８】
そこで、取っ手６０を複写機１のより高い位置に設定するには、複写機１の上位に配置される画像読取部５を載置して位置決めしている筐体フレーム５１、５２に対して、取っ手を設けることが考えられる。
【００３９】
ところで、筐体フレーム５１、５２は一般的に、強度向上のため部材長手方向に対し断面をＬ曲げあるいはコの字曲げまたはパイプ形状にしている。そして、図３等に示すように、画像読取部５の位置決め形状部を切欠き形状部５１ａ、５２ａとして筐体フレーム５１、５２に設けている。図示の実施形態では、筐体フレーム５１、５２の上面部を切り起こして形成したものである、この構造の場合には、筐体フレーム５１、５２のうちで切欠き形状部５１ａ、５２ａを設けたのみ部分的に強度が低下する。そのため、装置を持ち上げた時に筐体フレーム５１、５２自体に応力が加わり、切欠き形状部５１ａ、５２ａに応力集中が発生し、位置決め形状部である切欠き形状部５１ａ、５２ａの近傍に塑性変形が生じてしまう。すると、複写機１を持ち運んで再び載置した後は、画像読取部５の位置が狙いの設置位置からずれてしまい、それにより正確な原稿読取画像が得られなくなることがあり得る。なお図５、図６中の上方へ向く矢印Ｆは、装置の持ち上げ方向を示す。なお位置決め形状部は、強度向上のための連続的な曲げ形状を有しているものが好ましいが、これに限定されず種々の形状、構造のものが採用される。
【００４０】
その対策として、特許文献１に記載されているように、画像読取部５を設置している筐体フレーム５１、５２とは別のフレームを設けて取っ手６０を設け、画像読取部５に対して変形の影響が無い構造にすることが考えられる。しかし、取っ手６０の位置を複写機１の下方にしなければならないほか、フレーム部品数が増加する。
【００４１】
＜実施形態１＞
図７により、本発明の第１の実施形態を説明する。
上述の諸点にかんがみ、図７に示すように、本実施形態では画像読取部５の位置決め形状部を設置する筐体フレーム５１、５２に取っ手６０を設ける場合に、装置の持ち運び作業時に位置決め形状部のみに応力集中が発生しない構造としている。より具体的には、筐体フレーム５１、５２の部材上の画像読取部５の位置決め形状部以外の箇所に、少なくとも１つ以上の任意の形状の切欠き５１ｂ、５２ｂを第２の切欠き形状部として予め等間隔で設けておく。設ける部位は、図示の実施形態では、筐体フレーム５１、５２の上面部と側面部との間の角部であり、形状としては小孔である。すると、装置の持ち上げ作業時に位置決め形状部をなす切欠き形状部５１ａ、５２ａの近傍に発生する応力集中を他の切欠き５１ｂ、５２ｂにも分散して発生させることができる。そして、筐体フレーム５１、５２としては弾性変形の限度内に収まるよう応力を低減する構造とすることができる。
【００４２】
＜実施形態２＞
図８〜図１１により、本発明の第２の実施形態を説明する。
図８に示すように、筐体フレーム５１、５２と画像読取部５とを連結固定している場合（図中Ｙが連結固定箇所）は、装置の持ち運び作業時に筐体フレーム５１、５２に発生する応力集中および変形が画像読取部５に伝達することがある。すると、画像読取部５も変形してしまい、正確な原稿読取画像が得られなくなり得る。図中Ｆは装置を持ち上げる力を示す。
【００４３】
そこで本実施形態では、図９に示すように、取っ手６０の位置を筐体フレーム５１、５２の長手方向（水平方向）で中央に設定している。そして、筐体フレーム５１、５２に設ける位置決め形状部は、筐体フレーム５１、５２の筐体フレーム５５、５６への連結位置の近傍としている。例えば、筐体フレーム５１、５２の本体構造体４０の連結箇所（図中符号Ｚで示す）の近傍に設置している。すなわち、取っ手６０の位置から極力離れた位置に設ける構造としている。この筐体フレーム５１、５２の筐体フレーム５５、５６への連結位置は、筐体フレーム５１、５２が変形する際の支点となる。
【００４４】
この構造により、画像形成装置の運搬作業で取っ手６０を持ち上げて筐体フレーム５１、５２を変形させたとしても、画像読取部５まで変形することは無いため、正確な原稿読取画像が得られなくなる問題を回避できる。すなわち、筐体フレーム５１、５２では位置決めは行うが、これら筐体フレーム５１、５２に発生する内部応力が本体構造体４０側には伝達されず、画像読取部５を変形させることが無い。複写機１を所定の位置に再び載置して取っ手６０の持ち上げ運搬作業を終了した時には、筐体フレーム５１、５２の変形は初期状態に戻り、作業前と変わらずに複写機１を傾斜させずに精度良く水平に設置できる。
【００４５】
上述したように、取っ手６０を筐体フレーム５１、５２の中央に設置し、読み取り部５の位置決め形状部を筐体フレーム５１、５２上に配置する場合における位置決め形状部の位置について説明する。本実施形態では、位置決め形状部５１ｃ、５２ｃを、筐体フレーム５５、５６および本体構造体４０との連結位置近傍、すなわち筐体フレーム５１、５２の両端側に配置する。
【００４６】
図１０、図１１に示すように、位置決め形状部５１ｃ、５２ｃが筐体フレーム５１、５２の中央側に寄っている場合(図１０)と、連結側(両端側)にある場合（図１１)で説明する。説明の都合上、位置決め形状部５１ｃ、５２ｃは筐体フレーム５１、５２上に載置してあるものとする。
図１０、図１１のいずれの場合も、取っ手６０を持ち上げると、筐体フレーム５１、５２は両端を支点に変形する。この時、位置決め形状部５１ｃ、５２ｃも持ち上がる。取っ手６０を持ち上げると、筐体フレーム５１、５２の長手方向で中央付近の変形量が大きい傾向になる。そのため、位置決め形状部５１ｃ、５２ｃが図１０のように中央寄りだと、位置決め形状部５１ｃ、５２ｃの上下方向での移動量aが比較的大きくなる。すると、読み取り部５の筐体変形を誘発しやすくなり、それによって正確な読み取り画像が得られなくなる可能性がある。
【００４７】
そこで図１１に示すように、位置決め形状部５１ｃ、５２ｃを筐体フレーム５１、５２の変形量が少ない側(連結側)に置く構成にすることで、位置決め形状部５１ｃ、５２ｃの移動量bが比較的少なくて済む。それにより、読み取り部５の筐体変形を抑制できる。
【００４８】
なお図１０、図１１では、説明を簡単にするために、筐体フレーム５１、５２と読み取り部５を２つの位置決め形状部５１ｃ、５２ｃで保持している。そのため、取っ手６０を持ち上げても読み取り部５が単に浮くだけで、どちらも変形の影響が無く、問題が無い、すなわちどちらも違いが無いかのようになっている。しかし、実際の構造体では図の位置決め形状部５１ｃ、５２ｃ以外にも、さらに複数個所で筐体フレーム５１、５２と読み取り部５の周囲とを(位置決めしないまでも)連結固定する場合がある。そのような場合、図１０のような状態で読み取り部５の変形を誘発する可能性がある。
【００４９】
本発明は以上説明した実施形態に限定されるものではなく、多くの変形が本発明の技術的思想内で当分野において通常の知識を有する者により可能である。
【符号の説明】
【００５０】
１        ：複写機
２        ：画像形成部
３        ：記録材収納部
３ａ      ：給紙カセット
３ｂ      ：給紙カセット
４        ：胴内排紙部
５        ：画像読取部
５ａ      ：コンタクトガラス
５ｂ      ：光源
５ｃ      ：第１ミラー
５ｄ      ：第２ミラー
５ｅ      ：第３ミラー
５ｆ      ：結像レンズ
５ｇ      ：イメージセンサ
６        ：操作部
８        ：手差し用テーブル
１１      ：感光体ドラム
１２      ：帯電装置
１３      ：光書込装置
１４      ：現像装置
１５      ：一次転写ローラ
１６      ：クリーニング装置
１７      ：中間転写ユニット
１７ａ    ：中間転写ベルト
１８      ：中間転写ベルトクリーニング装置
１９      ：給紙装置
２０ａ、２０ｂ    ：搬送ローラ
２１      ：レジストローラ
２２      ：二次転写ローラ
２３      ：搬送ローラ
２４      ：排紙ローラ
２５      ：切換え爪
２６      ：反転搬送ローラ
２７      ：反転搬送路
２８      ：搬送ローラ
２９      ：搬送ローラ
３０      ：給紙ローラ
３１      ：搬送ローラ
３２      ：トナーボトル
３３      ：圧板
３５      ：定着ユニット
３６      ：定着ローラ
３７      ：加熱ローラ
３８      ：定着ベルト
３９      ：加圧ローラ
４０      ：本体構造体
４１      ：第１側板
４２      ：第２側板
５１      ：筐体フレーム
５１ａ    ：切欠き形状部
５１ｂ    ：切欠き
５１ｃ    ：位置決め形状部
５２      ：筐体フレーム
５２ａ    ：切欠き形状部
５２ｂ    ：切欠き
５２ｃ    ：位置決め形状部
５３      ：筐体フレーム
５４      ：筐体フレーム
５５      ：筐体フレーム
５６      ：筐体フレーム
６０      ：取っ手
１００    ：作業者
Ｓ        ：記録用紙
【先行技術文献】
【特許文献】
【００５１】
【特許文献１】特開２００９−２４４６７３号公報
【図１】
2016051089.tif 000003
【図２】
2016051089.tif 000004
【図３】
2016051089.tif 000005
【図４】
2016051089.tif 000006
【図５】
2016051089.tif 000007
【図６】
2016051089.tif 000008
【図７】
2016051089.tif 000009
【図８】
2016051089.tif 000010
【図９】
2016051089.tif 000011
【図１０】
2016051089.tif 000012
【図１１】
2016051089.tif 000013